(57)【要約】【課題】カバーに覆われているロックアームを正確に操作することができるコネクタ用ブーツを提供することを課題とする。【解決手段】ロックアーム４２のある第１のコネクタ４を保護するコネクタ用ブーツ１であって、レバー４２ｃを覆うカバー２と、レバー４２ｃに当接して被係合部４２ａの位置を変えるための治具を挿入可能な孔３とを備えることを特徴とする。【選択図】図３
2014154275.tif 000002
【特許請求の範囲】
【請求項１】
第１のコネクタと第２のコネクタとが係合される一対のコネクタのうち、第２のコネクタから離脱するためのロックアームが設けられる第１のコネクタを保護するコネクタ用ブーツであって、
ロックアームは、第２のコネクタに設けられる係合部に係合される被係合部と、第２のコネクタに嵌め込まれているときの被係合部が係合部に係合するように被係合部を付勢する基部と、被係合部を係合部から係合解除させる方向に操作可能なレバーとを備え、
レバーを覆うカバーと、レバーに当接して被係合部の位置を変えるための治具を挿入可能な孔とを備えることを特徴とするコネクタ用ブーツ。
【請求項２】
レバーは、基部に固定される一端部と、該一端部から延長される自由端部とを備え、
孔は、挿入される治具がレバーの自由端部側に当接する請求項１に記載のコネクタ用ブーツ。
【請求項３】
孔は、被係合部を係合部から係合解除させる方向に作用する力点に対して直交又は略直交する方向から治具を挿入可能な位置に設けられる請求項１又は請求項２に記載のコネクタ用ブーツ。
【請求項４】
第１のコネクタは、ロックアームの基部が固定されるコネクタ本体を備え、
レバーは、該レバーの一端部から自由端部に向かうにつれてコネクタ本体から離間する片部であり、
孔は、レバーに対して直交又は略直交する方向から治具を挿入可能な位置に設けられる請求項１乃至請求項３のいずれか１項に記載のコネクタ用ブーツ。
【請求項５】
第１のコネクタは、ロックアームの基部が固定されるコネクタ本体を備え、
レバーは、該レバーの一端部から自由端部に向かうにつれてコネクタ本体から離間する第１片部と、レバーの一端部から自由端部に向かって第１片部からコネクタ本体に接近する側に延長される第２片部とを備え、
孔は、第１片部と第２片部との境界又は境界近傍に対して直交又は略直交する方向から治具を挿入可能な位置に設けられる請求項１乃至請求項３のいずれか１項に記載のコネクタ用ブーツ。
【請求項６】
第１のコネクタは、ロックアームの基部が固定されるコネクタ本体を備え、
レバーは、該レバーの一端部から自由端部に向かうにつれてコネクタ本体から離間する第１片部と、レバーの一端部から自由端部に向かって第１片部からコネクタ本体に接近する側に延長される第２片部とを備え、
孔は、第２片部に対してコネクタ本体と平行又は略平行する方向から治具を挿入可能な位置に設けられる請求項１又は請求項２に記載のコネクタ用ブーツ。
【請求項７】
カバーは、コネクタ本体を覆うコネクタカバー部と、ロックアームを覆うロックアームカバー部であって、コネクタカバー部から膨出するロックアームカバー部であり、
孔は、ロックアームカバー部に設けられる請求項１乃至請求項６のいずれか１項に記載のコネクタ用ブーツ。
【発明の詳細な説明】
【技術分野】
【０００１】
本発明は、通信ケーブルの端部に接続されるコネクタを保護するコネクタ用ブーツに関する。
【背景技術】
【０００２】
従来より、ＬＡＮケーブルや光ファイバケーブルなどの通信ケーブルの端部に接続されるコネクタを保護するためにコネクタ用ブーツ（ブーツ）が用いられている。このコネクタ用ブーツには、ケーブルの端部に接続されるコネクタのロックアームを覆うカバー（操作レバー）が設けられている（特許文献１参照）。
【０００３】
このカバーは、ロックアームを保護するために設けられている。また、コネクタは、一対になっており、一方のコネクタに被係合部が設けられ、他方のコネクタに係合部が設けられている。そして、この一対のコネクタにおいて、係合部と被係合部との係合を解除するためにロックアームが設けられており、カバーが押さえられることにより、ロックアームが押し下げられ、一方のコネクタの被係合部が他方のコネクタの係合部から係合解除されて、一方のコネクタを他方のコネクタから離脱させることができる。
【０００４】
カバーは、可とう性を有する材質で形成されており、カバーをたわませることにより、ロックアームを押し下げる構造となっている。このカバーをたわませる際に、カバー上を滑って、カバーからずれたりして、一対のコネクタの係合が解除されるまでロックアームが押し下がらず、係合の解除に失敗することがある。
【先行技術文献】
【特許文献】
【０００５】
【特許文献１】特開２０１１−２５３１６６号公報
【発明の概要】
【発明が解決しようとする課題】
【０００６】
よって、本発明は、かかる事情に鑑み、カバーに覆われているロックアームを正確に操作することができるコネクタ用ブーツを提供することを課題とする。
【課題を解決するための手段】
【０００７】
本発明に係るコネクタ用ブーツは、第１のコネクタと第２のコネクタとが係合される一対のコネクタのうち、第２のコネクタから離脱するためのロックアームが設けられる第１のコネクタを保護するコネクタ用ブーツであって、ロックアームは、第２のコネクタに設けられる係合部に係合される被係合部と、第２のコネクタに嵌め込まれているときの被係合部が係合部に係合するように被係合部を付勢する基部と、被係合部を係合部から係合解除させる方向に操作可能なレバーとを備え、レバーを覆うカバーと、レバーに当接して被係合部の位置を変えるための治具を挿入可能な孔とを備えることを特徴とする。
【０００８】
かかる構成によれば、コネクタ用ブーツの孔から挿入された治具は、ロックアームのレバーに当接して、第１のコネクタの被係合部を第２のコネクタの係合部から係合解除する。そのため、ロックアームがカバーに覆われている状態でも、ロックアームを正確に操作することができる。
【０００９】
また、本発明に係るコネクタ用ブーツの一態様として、レバーは、基部に固定される一端部と、該一端部から延長される自由端部とを備え、孔は、挿入される治具がレバーの自由端部側に当接することが好ましい。
【００１０】
かかる構成によれば、ロックアームのレバーに治具で加える力が軽くなり、容易にロックアームのレバーを操作することができる。
【００１１】
また、本発明に係るコネクタ用ブーツの他態様として、孔は、被係合部を係合部から係合解除させる方向に作用する力点に対して直交又は略直交する方向から治具を挿入可能な位置に設けられることが好ましい。
【００１２】
かかる構成によれば、孔から挿入される治具は、ロックアームのレバーを確実に係合部から被係合部を係合解除させる方向に力を作用させることができ、係合の解除を失敗することがない。
【００１３】
また、本発明に係るコネクタ用ブーツの別態様として、第１のコネクタは、ロックアームの基部が固定されるコネクタ本体を備え、レバーは、該レバーの一端部から自由端部に向かうにつれてコネクタ本体から離間する片部であり、孔は、レバーに対して直交又は略直交する方向から治具を挿入可能な位置に設けられることが好ましい。
【００１４】
かかる構成によれば、治具は、直交又は略直交する方向からロックアームのレバーの片部に当接して、コネクタ本体側にレバーを押し込んで、レバーを操作するため、確実に係合部から被係合部を係合解除させる方向に力を作用させることができ、係合の解除を失敗することがない。
【００１５】
また、この場合、第１のコネクタは、ロックアームの基部が固定されるコネクタ本体を備え、レバーは、該レバーの一端部から自由端部に向かうにつれてコネクタ本体から離間する第１片部と、レバーの一端部から自由端部に向かって第１片部からコネクタ本体に接近する側に延長される第２片部とを備え、孔は、第１片部と第２片部との境界又は境界近傍に対して直交又は略直交する方向から治具を挿入可能な位置に設けられるようにしてもよい。
【００１６】
かかる構成によれば、治具は、直交又は略直交する方向からロックアームのレバーの第１片部と第２片部との境界又は境界近傍に当接して、コネクタ本体側にレバーを押し込んで、レバーを操作するため、係合部から被係合部を係合解除させる方向に軽い力で作用させることができる。
【００１７】
また、更にこの場合、第１のコネクタは、ロックアームの基部が固定されるコネクタ本体を備え、レバーは、該レバーの一端部から自由端部に向かうにつれてコネクタ本体から離間する第１片部と、レバーの一端部から自由端部に向かって第１片部からコネクタ本体に接近する側に延長される第２片部とを備え、孔は、第２片部に対してコネクタ本体と平行又は略平行する方向から治具を挿入可能な位置に設けられるようにしてもよい。
【００１８】
かかる構成によれば、治具は、ロックアームのレバーの第２片部に斜め方向から当接して、コネクタ本体側に第２片部を押し込んで、レバーを操作するため、確実に係合部から被係合部を係合解除させる方向に力を作用させることができ、係合の解除を失敗することがない。
【００１９】
また、本発明に係るコネクタ用ブーツの更に別態様として、カバーは、コネクタ本体を覆うコネクタカバー部と、ロックアームを覆うロックアームカバー部であって、コネクタカバー部から膨出するロックアームカバー部であり、孔は、ロックアームカバー部に設けられるようにしてもよい。
【００２０】
かかる構成によれば、ロックアームカバー部がコネクタカバー部から膨出している分、孔から挿入された治具がロックアームのレバーを動かせる範囲が広がる。そのため、誤って治具が孔に嵌ってロックアームのレバーに当接しただけでは係合解除されず、更に、係合部から被係合部を係合解除させるに至るまでレバーに力が作用しなければ、係合解除しないようにすることができる。
【発明の効果】
【００２１】
以上の如く、本発明に係るコネクタ用ブーツによれば、カバーに覆われているロックアームを正確に操作することができるという優れた効果を奏する。
【図面の簡単な説明】
【００２２】
【図１】図１は、本発明の実施形態に係るコネクタ用ブーツの上面図である。
【図２】図２は、同実施形態に係るコネクタ用ブーツの正面図である。
【図３】図３は、同実施形態に係るコネクタ用ブーツをコネクタに装着された状態を示す側面図である。
【図４】図４は、他の実施形態に係るコネクタ用ブーツをコネクタに装着された状態を示す側面図である。
【図５】図５は、他の同実施形態に係るコネクタ用ブーツをコネクタに装着された状態を示す側面図である。
【発明を実施するための形態】
【００２３】
本発明の実施形態に係るコネクタ用ブーツについて、図１〜図３を参照しつつ説明する。まず、同実施形態に係るコネクタ用ブーツ１（以下、単に「ブーツ１」と略する）の構造について、説明する。ブーツ１を装着するコネクタには、図３に示すように、通信ケーブルＣの先端に接続されるオス型の第１のコネクタ４と、該第１のコネクタ４が嵌め込まれるメス型の第２のコネクタ５とがある。そこで、ブーツ１の説明の前に、このコネクタ４，５について、説明する。
【００２４】
第１のコネクタ４は、合成樹脂製の第１コネクタ本体４１と、図示しない複数の端子金具とを備える。複数の端子金具は、それぞれ第１コネクタ本体４１内に形成された複数の端子収容室に収容されており、ワイヤハーネスを構成する複数の電線の各端末が接続されている。第１コネクタ本体４１の上面には、合成樹脂製のロックアーム４２と図示しない複数のガイドリブとが形成されている。
【００２５】
ロックアーム４２は、第２のコネクタ５に設けられる係合部５２に係合される被係合部４２ａと、第２のコネクタ５に嵌め込まれているときの被係合部４２ａが係合部５２に係合するように被係合部４２ａを付勢する基部４２ｂと、被係合部４２ａを係合部５２から係合解除させる方向に操作可能なレバー４２ｃとを備える。
【００２６】
被係合部４２ａは、レバー４２ｃの基端側中途部に設けられ、第２のコネクタ５を第１のコネクタ４に対して抜き差しする方向Ａに平面を有し、その平面は、第１のコネクタ４の後方側を向いている。
【００２７】
基部４２ｂは、第１のコネクタ４の前方側に設けられている。基部４２ｂは、第１コネクタ本体４１とレバー４２ｃとを接続する部分に配置され、他の部分より薄肉状に成形されることによりたわみ、剛性を有するため弾性変形するよう構成されている。
【００２８】
レバー４２ｃは、その先端が第１コネクタ本体４１の後部側にのびる片持ちアーム状に形成されている。レバー４２ｃは、基部４２ｂに固定される一端部４２ｄと、該一端部４２ｄから延長される自由端部４２ｅとを有する。レバー４２ｃは、該レバー４２ｃの一端部４２ｄから自由端部４２ｅに向かうにつれて第１コネクタ本体４１から離間する第１片部４２ｆと、レバー４２ｃの一端部４２ｄから自由端部４２ｅに向かって第１片部４２ｆから第１コネクタ本体４１に接近する側に延長される第２片部４２ｇとを備える。
【００２９】
ロックアーム４２は、レバー４２ｃを押圧することにより、レバー４２ｃの自由端部４２ｅが第１コネクタ本体４１の上面に接触する方向に弾性変形するようになっている。複数のガイドリブは、ロックアーム４２の左右両側に形成されている。また、複数のガイドリブは、第１コネクタ本体４１の前後方向にのびるように形成されている。
【００３０】
第２のコネクタ５は、合成樹脂製の第２コネクタ本体５１と、図示しない複数の端子金具とを備えている。複数の端子金具は、それぞれ第２コネクタ本体５１内に形成された複数の端子収容室に収容されており、ワイヤハーネスを構成する複数の電線の各端末が接続されている。
【００３１】
第２コネクタ本体５１は、前面が開放された箱形形状に形成されている。また、第２コネクタ本体５１は、上記前面を介して内側に第１コネクタ本体４１が嵌合するように形成されている。第２コネクタ本体５１の上記内側には、奥壁（後面を有する壁）を介して上記図示しない複数の端子金具の電気接触部が突出しており、第１コネクタ本体４１が嵌合した際には、上記孔を介して第１のコネクタ４の端子金具と電気的に接続されるようになっている。第２コネクタ本体５１の上壁（上面を有する壁）には、係合部５２と図示しない複数のガイド溝とが形成されている。
【００３２】
係合部５２は、上記上壁の内側であって第１のコネクタ４のロックアーム４２の被係合部４２ａが係合可能となる突起状に形成されている。複数のガイド溝は、第２コネクタ本体５１の前後方向にのびており、第１のコネクタ４の複数のガイドリブを案内することができるように形成されている。
【００３３】
次に、ブーツ１について説明する。図１〜図３に示すように、ブーツ１は、第１のコネクタ４を保護するために第１のコネクタ４に着脱可能に装着される。なお、ブーツ１は、第１のコネクタ４とともに、通信ケーブルＣの先端部に接続されていてもよい。また、ブーツ１は、その色により通信ケーブルＣの種別を識別するために装着されることもあり、そのため、第１のコネクタ４に着脱可能に装着される方が好ましい。
【００３４】
ブーツ１は、レバー４２ｃを覆うカバー２と、レバー４２ｃに当接して被係合部４２ａの位置を変えるための治具６を挿入可能な孔３とを備える。
【００３５】
カバー２は、第１コネクタ本体４１を覆うコネクタカバー部２１と、ロックアーム４２を覆うロックアームカバー部２２とを備える。コネクタカバー部２１は、第１コネクタ本体４１より一回り大きく、前面が開放された箱形形状に形成されている。ロックアームカバー部２２は、コネクタカバー部２１の上面から膨出して形成されている。ロックアームカバー部２２は、第１のコネクタ４を抜き差しする方向Ａにおける差し込む方向側の部分を側面視矩形状に形成されており、引き抜く方向側の部分を側面視直角三角形状に形成されており、ロックアームカバー部２２全体は、台形状に形成されている。つまり、ロックアームカバー部２２の上面（図２におけるロックアームカバー部２２の上の面）は、平坦に形成されており、ロックアームカバー部２２における第１のコネクタ４を引き抜く方向側の面は、傾斜している。また、ロックアームカバー部２２における第１のコネクタ４を差し込む方向側は、開放されている。そのため、ロックアーム４２は、このロックアームカバー部２２の開口部から進入する。カバー２は、合成樹脂製であり、弾性変形可能に構成されている。特に、ロックアームカバー部２２は、上面を押圧すると、側面（図２におけるロックアームカバー部２２の左右の面）がたわみ、上面が下方に下がるようになっている。
【００３６】
孔３は、ロックアームカバー部２２に設けられる。孔３は、挿入される治具６がレバー４２ｃの自由端部４２ｅ側に当接する位置に設けられることが好ましい。本実施形態に係る孔３は、第１片部４２ｆと第２片部４２ｇとの境界又は境界近傍４２ｈに対して直交又は略直交する方向から治具６を挿入可能な位置に設けられる。つまり、孔３は、第１片部４２ｆと第２片部４２ｇとの境界又は境界近傍４２ｈに直交又は略直交する方向の延長線上にあるロックアームカバー部２２の部分を貫通して設けられている。
【００３７】
なお、ここでいうレバー４２ｃの特定の位置に対して「直交又は略直交する方向」とは、特定の位置において直交方向に作用する力が含まれ得る方向をいう。また、レバー４２ｃを操作することにより、そのレバー４２ｃの姿勢（傾斜角度）が変化するが、特定の姿勢のときの直交方向に限定される必要はなく、操作されるレバー４２ｃが取り得る姿勢、つまり、操作されるレバー４２ｃが取り得る傾斜角度のいずれかの角度において直交又は略直交し得る方向であればよい。そして、孔３は、レバー４２ｃの特定の位置に対して常に一定の方向から進入しなければならないわけではなく、操作するレバー４２ｃの姿勢に応じてその方向も適宜変更し得るものであってもよい。つまり、孔３は、挿入する治具６を直交又は略直交する方向から傾けることができるように、挿入する治具６の外周に対して大きめに形成されていてもよく、又は、レバー４２ｃの長手方向に長い長孔であってもよい。
【００３８】
治具６は、図３に示される如く、直線状の棒であり、孔３に差し込み可能なように、孔３の大きさよりも一回り小さい断面形状を有する。なお、図面においては、孔３の形状に合わせて、治具６の断面形状が円形状に形成されている例を示したが、これに限定されるものではなく、孔３の形状が矩形状に形成されている場合は、この形状に合わせて治具６の断面形状が矩形状に形成されていてもよいし、また、治具６の断面形状は、孔３の形状に関係ない形状に形成されていてもよい。
【００３９】
次に、上記構成に基づいて、本発明のブーツ１に係る作用を説明する。図３において、コネクタ５，６の離脱に係る作業を開始する際には、先ず、嵌合状態にある第１のコネクタ４及び第２のコネクタ５の上方に治具６を配置する。次に、治具６を下方（矢線Ｂ方向）に移動させて、治具６の先端を孔３からロックアームカバー部２２の中に挿入する。治具６の周面を孔３に沿わせながら挿入することにより、この治具６の先端は、ロックアーム４２のレバー４２ｃの第１片部４２ｆと第２片部４２ｇとの境界又は境界近傍４２ｈに到達して当接する。更に、治具６を下方（矢線Ｂ方向）に移動させることにより、ロックアーム４２のレバー４２ｃを押し下げる。レバー４２が押し下げられると、基部４２ｂの薄肉部が弾性変形し、被係合部４２ａも下方に下がり、次第に被係合部４２ａが第２のコネクタ５の係合部５２から離間していく。そして、第１のコネクタ４の被係合部４２ａが第２のコネクタ５の係合部５２から完全に離間すると、被係合部４２ａと係合部５２との係合が解除される。つまり、第２のコネクタ５から第１のコネクタ４が離脱可能な状態になる。
【００４０】
本実施形態によれば、ブーツ１は、第１のコネクタ４と第２のコネクタ５とが係合される一対のコネクタ４，５のうち、第２のコネクタ５から離脱するためのロックアーム４２が設けられる第１のコネクタ４を保護するブーツ１であって、ロックアーム４２は、第２のコネクタ５に設けられる係合部５２に係合される被係合部４２ａと、第２のコネクタ５に嵌め込まれているときの被係合部４２ａが係合部５２に係合するように被係合部４２ａを付勢する基部４２ｂと、被係合部４２ａを係合部５２から係合解除させる方向に操作可能なレバー４２ｃとを備え、レバー４２ｃを覆うカバー２と、レバー４２ｃに当接して被係合部４２ａの位置を変えるための治具６を挿入可能な孔３とを備える。この場合、ブーツ１の孔３から挿入された治具６は、ロックアーム４２のレバー４２ｃに当接して、第１のコネクタ４の被係合部４２ａを第２のコネクタ５の係合部５２から係合解除する。そのため、ロックアーム４２がカバー２に覆われている状態でも、ロックアーム４２を正確に操作することができる。
【００４１】
本実施形態によれば、孔３は、被係合部４２ａを係合部５２から係合解除させる方向に作用する力点に対して直交又は略直交する方向から治具６を挿入可能な位置に設けられる。この場合、孔３から挿入される治具６は、ロックアーム４２のレバー４２ｃを確実に係合部５２から被係合部４２ａを係合解除させる方向に力を作用させることができ、係合の解除を失敗することがない。
【００４２】
本実施形態によれば、第１のコネクタ４は、ロックアーム４２の基部４２ｂが固定される第１コネクタ本体４１を備え、レバー４２ｃは、該レバー４２ｃの一端部４２ｄから自由端部４２ｅに向かうにつれて第１コネクタ本体４１から離間する第１片部４２ｆと、レバー４２ｃの一端部４２ｄから自由端部４２ｅに向かって第１片部４２ｆから第１コネクタ本体４１に接近する側に延長される第２片部４２ｇとを備え、孔３は、第１片部４２ｆと第２片部４２ｇとの境界又は境界近傍４２ｈに対して直交又は略直交する方向から治具６を挿入可能な位置に設けられる。この場合、治具６は、直交又は略直交する方向からロックアーム４２のレバー４２ｃの第１片部４２ｆと第２片部４２ｇとの境界又は境界近傍４２ｈに当接して、第１コネクタ本体４１側にレバー４２ｃを押し込んで、レバー４２ｃを操作するため、係合部５２から被係合部４２ａを係合解除させる方向に軽い力で作用させることができる。
【００４３】
本実施形態によれば、カバー２は、第１コネクタ本体４１を覆うコネクタカバー部２１と、ロックアーム４２を覆うロックアームカバー部２２であって、コネクタカバー部２１から膨出するロックアームカバー部２２であり、孔３は、ロックアームカバー部２２に設けられる。この場合、ロックアームカバー部２２がコネクタカバー部２１から膨出している分、ロックアームカバー部２２がロックアーム４２を収容する空間を広く取ることができ、孔３から挿入された治具６がロックアーム４２のレバー４２ｃを動かせる範囲（操作量）が広がる。そのため、誤って治具６が孔３に嵌ってロックアーム４２のレバー４２ｃに当接しただけでは係合解除されず、更に、係合部５２から被係合部４２ａを係合解除させるのに至るまでレバー４２ｃに力が作用しなければ、係合解除しないようすることができる。また、ロックアームカバー部２２自体を押し下げることによっても、ロックアーム４２を操作することができる。
【００４４】
また、ＬＡＮハブなどに設けられる第２のコネクタ５から第１のコネクタ４を離脱させる際、ＬＡＮハブは、一面に複数の第２のコネクタ５が縦１列又は横１列、若しくは上下２段、左右２列に隙間無く配置されるため、離脱するための作業空間が狭い。しかし、治具６を孔３に挿入して係合解除しなければ、第２のコネクタ５から第１のコネクタ４が容易に離脱しないため、予め係合解除した第１のコネクタ４を把持して第１のコネクタ４を第２のコネクタ５から離脱することができ、作業空間が狭いため、その際に他の第１のコネクタ４に誤って触れてしまい離脱させてしまうことがない。
【００４５】
なお、本発明は、上記実施形態に限定されず、本発明の要旨を逸脱しない範囲で様々な変更が可能である。
【００４６】
本実施形態に係るブーツ１において、レバー４２ｃは、基部４２ｂに固定される一端部４２ｄと、該一端部４２ｄから延長される自由端部４２ｅとを備え、孔３は、挿入される治具６がレバー４２ｃの自由端部４２ｅ側に当接するようにしてもよい。この場合、ロックアーム４２のレバー４２ｃに治具６で加える力が軽くなり、容易にロックアーム４２のレバー４２ｃを操作することができる。
【００４７】
本実施形態に係るブーツ１において、図４に示すように、第１のコネクタ４は、ロックアーム４２の基部４２ｂが固定される第１コネクタ本体４１を備え、レバー４２ｃは、該レバー４２ｃの一端部４２ｄから自由端部４２ｅに向かうにつれて第１コネクタ本体４１から離間する第１片部４２ｆと、レバー４２ｃの一端部４２ｄから自由端部４２ｅに向かって第１片部４２ｆから第１コネクタ本体４１に接近する側に延長される第２片部４２ｇとを備え、孔１０３は、第２片部４２ｇに対して第１コネクタ本体４１と平行又は略平行する方向から治具６を挿入可能な位置に設けられるようにしてもよい。この場合、治具６は、ロックアーム４２のレバー４２ｃの第２片部４２ｇに斜め方向から当接し、更に挿入することにより、第１コネクタ本体４１側に第２片部４２ｇが下方に押し下げて、レバー４２ｃを操作するため、確実に係合部５２から被係合部４２ａを係合解除させる方向に力を作用させることができ、係合の解除を失敗することがない。
【００４８】
本実施形態に係るブーツ１において、図５に示すように、ロックアーム４２の基部４２ｂが固定される第１コネクタ本体４１を備え、レバー４２ｃは、該レバー４２ｃの一端部４２ｄから自由端部４２ｅに向かうにつれて第１コネクタ本体４１から離間する片部２４２ｆであり、孔３は、レバー４２ｃに対して直交又は略直交する方向から治具６を挿入可能な位置に設けられるようにしてもよい。この場合、治具６は、直交又は略直交する方向からロックアーム４２のレバー４２ｃの片部２４２ｆに当接して、第１コネクタ本体４１側にレバー４２ｃを押し込んで、レバー４２ｃを操作するため、確実に係合部５２から被係合部４２ａを係合解除させる方向に力を作用させることができ、係合の解除を失敗することがない。つまり、本発明は、本実施形態に係るアーム状のロックアーム４２が設けられる第１のコネクタ以外にも、平面状のロックアームが設けられる第１のコネクタにも適用することができる。
【００４９】
本実施形態に係るブーツ１は、カバー２が第１コネクタ本体４１及びロックアーム４２を覆う例を説明したが、これに限定されるものではない。例えば、カバー２は、誤ってロックアームに引っかかるなどして折れにくいように、ロックアームのみを覆うものであってもよいし、ロックアームのレバーの上面に対向して設けられるものであってもよい。
【００５０】
本実施形態に係るブーツ１は、孔３がロックアームカバー部２２の内側と外側を貫通しただけのものである例を説明したが、これに限定されるものではない。例えば、孔３は、その周縁部を肉厚にするなどして補強されたものであってもよい。また、孔３は、内側若しくは外側に治具６の挿入方向を規制するガイドを更に備えていてもよい。
【００５１】
本実施形態に係るブーツ１は、孔３がレバー４２ｃに対して直交又は略直交する方向から治具６を挿入可能な位置に設けられる例を説明したが、これに限定されるものではない。例えば、孔の位置は、挿入される治具の先端がレバーに当接する範囲であれば、カバーのどの位置に設けられていてもよい。
【符号の説明】
【００５２】
１…コネクタ用ブーツ、２…カバー、２１…コネクタカバー部、２２…ロックアームカバー部、３…孔、４…第１のコネクタ、４１…コネクタ本体、４２…ロックアーム、４２ａ…被係合部、４２ｂ…基部、４２ｃ…レバー、４２ｄ…一端部、４２ｅ…自由端部、４２ｆ…第１片部、４２ｇ…第２片部、４２ｈ…境界又は境界近傍、５…第２のコネクタ、５１…第２コネクタハウジング、５２…係合部、６…治具、１０３…孔、２４２ｆ…片部、Ｃ…通信ケーブル
【図１】
2014154275.tif 000003
【図２】
2014154275.tif 000004
【図３】
2014154275.tif 000005
【図４】
2014154275.tif 000006
【図５】
2014154275.tif 000007
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
互いに係合される一対のコネクタのうちの一方のコネクタである第１のコネクタであって、一対のコネクタのうちの他方のコネクタである第２のコネクタに設けられる係合部に係合される被係合部と、第２のコネクタに嵌め込まれているときの被係合部が係合部に係合するように被係合部を付勢する基部と、該基部から第２のコネクタに対して差し込む方向とは反対側に向けて延び、被係合部を係合部から係合解除させる方向に操作可能なレバーとを備え、該レバーが基部から第２のコネクタに対して差し込む方向とは反対側に向かうにつれて被係合部を係合部から係合解除させる方向に傾斜した片部を有するロックアームが設けられた第１のコネクタを保護するコネクタ用ブーツであって、
少なくともレバーを覆うカバーを備え、該カバーは、第２のコネクタに対して第１のコネクタを差し込む方向に貫通した孔であって、レバーの片部に当接して被係合部の位置を変えるための治具を第２のコネクタに対して第１のコネクタを差し込む方向に挿入可能な孔を備えることを特徴とするコネクタ用ブーツ。
【請求項２】
ロックアームの基部が固定されるコネクタ本体を備えた第１のコネクタであって、レバーが、基部から第２のコネクタに対して差し込む方向とは反対側に向けて延びる第１片部であって、基部から当該レバーの先端部に向かうにつれてコネクタ本体から離間する第１片部と、該第１片部に連続する片部としての第２片部であって、レバーの先端部に向かって第１片部からコネクタ本体に接近する第２片部とを備えるロックアームが設けられた第１のコネクタを保護するコネクタ用ブーツであって、
孔は、第２のコネクタに対して第１のコネクタを差し込む方向からレバーの第２片部に治具を当接可能な位置に設けられる請求項１に記載のコネクタ用ブーツ。
【請求項３】
カバーは、コネクタ本体を覆うコネクタカバー部と、ロックアームを覆うロックアームカバー部であって、コネクタカバー部から膨出するロックアームカバー部とを備え、
孔は、ロックアームカバー部に設けられる請求項１又は請求項２に記載のコネクタ用ブーツ。
【手続補正２】
【補正対象書類名】明細書
【補正対象項目名】０００７
【補正方法】変更
【補正の内容】
【０００７】
本発明に係るコネクタ用ブーツは、互いに係合される一対のコネクタのうちの一方のコネクタである第１のコネクタであって、一対のコネクタのうちの他方のコネクタである第２のコネクタに設けられる係合部に係合される被係合部と、第２のコネクタに嵌め込まれているときの被係合部が係合部に係合するように被係合部を付勢する基部と、該基部から第２のコネクタに対して差し込む方向とは反対側に向けて延び、被係合部を係合部から係合解除させる方向に操作可能なレバーとを備え、該レバーが基部から第２のコネクタに対して差し込む方向とは反対側に向かうにつれて被係合部を係合部から係合解除させる方向に傾斜した片部を有するロックアームが設けられた第１のコネクタを保護するコネクタ用ブーツであって、少なくともレバーを覆うカバーを備え、該カバーは、第２のコネクタに対して第１のコネクタを差し込む方向に貫通した孔であって、レバーの片部に当接して被係合部の位置を変えるための治具を第２のコネクタに対して第１のコネクタを差し込む方向に挿入可能な孔を備えることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、ロックアームのレバーに治具で加える力が軽くなり、容易にロックアームのレバーを操作することができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、孔から挿入される治具は、ロックアームのレバーを確実に係合部から被係合部を係合解除させる方向に力を作用させることができ、係合の解除を失敗することがない。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
また、治具は、直交又は略直交する方向からロックアームのレバーの片部に当接して、コネクタ本体側にレバーを押し込んで、レバーを操作するため、確実に係合部から被係合部を係合解除させる方向に力を作用させることができ、係合の解除を失敗することがない。
【手続補正９】
【補正対象書類名】明細書
【補正対象項目名】００１５
【補正方法】変更
【補正の内容】
【００１５】
また、この場合、ロックアームの基部が固定されるコネクタ本体を備えた第１のコネクタであって、レバーが、基部から第２のコネクタに対して差し込む方向とは反対側に向けて延びる第１片部であって、基部から当該レバーの先端部に向かうにつれてコネクタ本体から離間する第１片部と、該第１片部に連続する片部としての第２片部であって、レバーの先端部に向かって第１片部からコネクタ本体に接近する第２片部とを備えるロックアームが設けられた第１のコネクタを保護するコネクタ用ブーツであって、孔は、第２のコネクタに対して第１のコネクタを差し込む方向からレバーの第２片部に治具を当接可能な位置に設けられるようにしてもよい。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
また、本発明に係るコネクタ用ブーツの更に別態様として、カバーは、コネクタ本体を覆うコネクタカバー部と、ロックアームを覆うロックアームカバー部であって、コネクタカバー部から膨出するロックアームカバー部とを備え、孔は、ロックアームカバー部に設けられるようにしてもよい。